(57)【要約】【課題】  光源の外周近傍に実装された部品による光学性能の劣化を防止し、光源近傍への部品の配置を可能とするレンズ部材及び光学ユニットを提供すること。【解決手段】  下面と上面とを有した金属支持体２と、該金属支持体２の下面と上面との両面にわたって設置されていると共に複数のＬＥＤ３が実装された一枚のフレキシブルプリント基板４と、金属支持体２の周囲を覆うと共に下方側に開いた透明又は半透明の傘状部材と、金属支持体２に直接固定され傘状部材を支持する金属フレーム６と、を備え、複数のＬＥＤ３が、金属支持体２の下面側に配されて下方に向けて光を照射する下方照明グループ３Ａと、金属支持体２の上面側に配されて上方に向けて光を照射する上方照明グループ３Ｂと、に分けられている。【選択図】図１
2012069366.tif 000002
【特許請求の範囲】
【請求項１】
下面と上面とを有した金属支持体と、
該金属支持体の下面と上面との両面にわたって設置されていると共に複数のＬＥＤが実装された一枚のフレキシブルプリント基板と、
前記金属支持体の周囲を覆うと共に下方側に開いた透明又は半透明の傘状部材と、
前記金属支持体に直接固定され前記傘状部材を支持する金属フレームと、を備え、
複数の前記ＬＥＤが、前記金属支持体の下面側に配されて下方に向けて光を照射する下方照明グループと、前記金属支持体の上面側に配されて上方に向けて光を照射する上方照明グループと、に分けられていることを特徴とする照明器具。
【請求項２】
請求項１に記載の照明器具において、
前記フレキシブルプリント基板に接続され、前記ＬＥＤの発光を前記下方照明グループと前記上方照明グループとに分けて別々に制御する制御部を備えていることを特徴とする照明器具。
【請求項３】
請求項１または２に記載の照明器具において、
前記上方照明グループが、前記下方照明グループより少ない個数の前記ＬＥＤを有していることを特徴とする照明器具。
【発明の詳細な説明】
【技術分野】
【０００１】
本発明は、例えば部屋内の照明等に好適な、ＬＥＤを用いた照明器具に関する。
【背景技術】
【０００２】
近年、高出力の白色ＬＥＤを使用した照明器具が広く一般に採用されつつある。このような高出力のＬＥＤを実装した光源は、発熱によりＬＥＤ素子自体の温度が上昇し、製品寿命が短くなるため、金属部品を接続して放熱したり、アルミ製のヒートシンクを接続して素子温度を制御する必要がある。例えば、放熱のために熱伝導率の高いアルミ基板やセラミックス基板を使用し、ＬＥＤからの熱を素早く基板に受け渡して、さらに大きな放熱材料（金属基板やヒートシンク）等に放熱している。
【０００３】
また、特許文献１では、フレキシブル基板に実装されたＬＥＤと、ＬＥＤを覆うための概略半球状のカバーと、ＬＥＤからの熱を放熱するためのアルミダイキャストで放射状に配列形成された複数の放熱フィンと、複数の放熱フィンを支持するヒートシンクである放熱機体とを具備した電球形の照明装置が記載されている。この照明装置では、フレキシブル基板を介してＬＥＤが取り付けられた放熱機体および複数の放熱フィンによって熱を効率よく空気を介して放熱している。
【先行技術文献】
【特許文献】
【０００４】
【特許文献１】特開２００８−２１５０５号公報
【発明の概要】
【発明が解決しようとする課題】
【０００５】
しかしながら、上記従来の技術には、以下の課題が残されている。
すなわち、放熱のために非常に高価で熱伝導率の高いアルミ基板やセラミックス基板を複数のＬＥＤそれぞれに使用すると、部品点数および部材コストが増大してしまう不都合がある。また、特許文献１に記載の電球形の照明装置の場合、この照明装置を、透明または半透明の傘状部材内に設けられたソケットに装着し、天井から吊り下げて使用するペンダントライトや、台座上に設けたスタンドライトとした場合、電球形である照明器具が概略半球状の外周を一様に照明するため、傘状部材を照らすために必要な照明光量と傘状部材が大きく開いた下方を照らすために必要な照明光量とを適切に調整することができないという不都合があった。また、ソケットを介して照明装置が取り付けられるために放熱性が十分でなく、ＬＥＤの寿命が短くなってしまう問題があった。
【０００６】
本発明は、前述の課題に鑑みてなされたもので、傘状部材の上下に必要な照明光量を適切に確保可能であると共に高い放熱性を有した照明器具を提供することを目的とする。
【課題を解決するための手段】
【０００７】
本発明は、前記課題を解決するために以下の構成を採用した。すなわち、本発明の照明器具は、下面と上面とを有した金属支持体と、該金属支持体の下面と上面との両面にわたって設置されていると共に複数のＬＥＤが実装された一枚のフレキシブルプリント基板と、前記金属支持体の周囲を覆うと共に下方側に開いた透明又は半透明の傘状部材と、前記金属支持体に直接固定され前記傘状部材を支持する金属フレームと、を備え、複数の前記ＬＥＤが、前記金属支持体の下面側に配されて下方に向けて光を照射する下方照明グループと、前記金属支持体の上面側に配されて上方に向けて光を照射する上方照明グループと、に分けられていることを特徴とする。
【０００８】
この照明器具では、複数のＬＥＤが、金属支持体の下面側に配されて下方に向けて光を照射する下方照明グループと、金属支持体の上面側に配されて上方に向けて光を照射する上方照明グループと、に分けられているので、傘状部材を主に照らす上方照明グループと下方の空間（ペンダントライトでは部屋内、スタンドライトでは台座周辺）を主に照らす下方照明グループとで設置するＬＥＤの個数や種類等を予め適切に設定でき、上下それぞれに要求される照度を無駄なく設定可能である。また、下方照明グループと上方照明グループとの両方とも一枚のフレキシブルプリント基板に実装されて金属支持体上に設置されていると共に、金属支持体に直接、金属フレームが接続されているので、金属支持体および金属フレームによる高効率な放熱体構造によって、フレキシブルプリント基板を用いてＬＥＤを設置しても十分な放熱経路により高い放熱性が確保される。なお、一枚のフレキシブルプリント基板に複数のＬＥＤを実装して金属支持体の上下面に設置しているので、安価であると共に配線接続や金属支持体の形状等における設計自由度が高く、多様なデザインの照明器具にも柔軟に対応可能である。
【０００９】
また、本発明の照明器具は、前記フレキシブルプリント基板に接続され、前記ＬＥＤの発光を前記下方照明グループと前記上方照明グループとに分けて別々に制御する制御部を備えていることを特徴とする。
すなわち、この照明器具では、ＬＥＤの発光を下方照明グループと上方照明グループとに分けて別々に制御する制御部を備えているので、必要に応じて下方照明グループと上方照明グループとのいずれか一方または両方で選択的にＬＥＤを発光させる制御ができ、さらに無駄なく照明することが可能になる。
【００１０】
また、本発明の照明器具は、前記上方照明グループが、前記下方照明グループより少ない個数の前記ＬＥＤを有していることを特徴とする。
すなわち、この照明器具では、間接光を得るために傘状部材を主に照明し、下方照明グループよりも照明光量が小さく済む上方照明グループが、下方照明グループより少ない個数のＬＥＤを有しているので、ＬＥＤ実装数が低減され、部材点数および部材コストをより低減することができる。
【発明の効果】
【００１１】
本発明によれば、以下の効果を奏する。
すなわち、本発明に係る照明器具によれば、複数のＬＥＤが、金属支持体の下面側に配されて下方に向けて光を照射する下方照明グループと、金属支持体の上面側に配されて上方に向けて光を照射する上方照明グループと、に分けられているので、上下それぞれに要求される照度を無駄なく設定可能である。また、金属支持体に直接、金属フレームが接続されているので、金属支持体および金属フレームによる高効率な放熱体構造によって、フレキシブルプリント基板を用いてＬＥＤを設置しても高い放熱性が確保される。したがって、本発明の照明器具では、高価なヒートシンク部材や高熱伝導金属基板が不要となり、ＬＥＤの長寿命化および低コスト化を図ることができる。
【図面の簡単な説明】
【００１２】
【図１】本発明に係る照明器具の一実施形態において、傘状部材を外した照明器具を示す斜視図である。
【図２】本実施形態において、天井に設置した照明器具を示す正面図である。
【図３】本実施形態において、ＬＥＤが実装されたフレキシブルプリント基板が設置された金属支持体を示す斜視図である。
【図４】本実施形態において、フレキシブルプリント基板を示す正面図および平面図である。
【図５】本実施形態において、金属フレームを示す正面図および平面図である。
【発明を実施するための形態】
【００１３】
以下、本発明に係る照明器具の一実施形態を、図１から図５に基づいて説明する。なお、以下の説明に用いる各図面では、各部材を認識可能な大きさとするために縮尺を適宜変更している。
【００１４】
本実施形態における照明器具１は、図１から図５に示すように、天井Ｔから鎖Ｃ等で吊り下げて部屋内を照明するペンダントライトであって、下面と上面とを有した金属支持体２と、該金属支持体２の下面と上面との両面にわたって設置されていると共に複数のＬＥＤ３が実装された一枚のフレキシブルプリント基板４と、金属支持体２の周囲を覆うと共に下方側に開いた透明又は半透明の傘状部材５と、金属支持体２に直接固定され傘状部材５を支持する金属フレーム６と、を備えている。
【００１５】
上記金属支持体２は、熱伝導性の高い金属の板部材であり、図３に示すように、中央に円柱状部材７が挿通された支持体貫通孔２ａが形成されている。例えば、金属支持体２としては、厚さ５ｍｍのアルミ板が採用される。なお、金属支持体２と円柱状部材７との固定は、ボルト止めやピン止め等の種々の固定手段が採用可能であるが、互いに接触させた状態で固定されている。
上記フレキシブルプリント基板４は、図４に示すように、支持体貫通孔２ａに対応した位置に基板貫通孔４ａが形成され、金属支持体２の下面から一側面を介して上面にわたって折り曲げた形状で金属支持体２の上下面にネジ８により固定されている。
【００１６】
なお、フレキシブルプリント基板４とアルミ板の金属支持体２とを固定する時、熱接続を潤滑に行なうため  金属支持体２とフレキシブルプリント基板４との間に、放熱用シリコーン等のサーマルシートを設置し、または放熱グリース材を塗布して、ネジ等により固定することが好ましい。この場合、サーマルシートまたは放熱グリース材により、金属支持体２とフレキシブルプリント基板４との密着性が向上すると共に、高い放熱効果を得ることができる。
【００１７】
金属支持体２の上下面には複数の突起部２ｂが形成されていると共に、フレキシブルプリント基板４には各突起部２ｂに対応した位置に突起部２ｂが嵌め込み可能な位置決め孔４ｂが複数形成されている。すなわち、各突起部２ｂを対応する位置決め孔４ｂに嵌め込むことにより、フレキシブルプリント基板４が金属支持体２に位置決めされる。
【００１８】
複数のＬＥＤ３は、金属支持体２の下面側に配されて下方に向けて光を照射する下方照明グループ３Ａと、金属支持体２の上面側に配されて上方に向けて光を照射する上方照明グループ３Ｂと、に分けられている。なお、主に部屋内を照らす下方照明グループ３ＡのＬＥＤ３としては、昼白色系や蛍光灯色系の白色ＬＥＤを採用し、主に傘状部材５を照らす上方照明グループ３ＢのＬＥＤ３としては、暖色系や白熱電球色系の白色ＬＥＤを採用しても構わない。
【００１９】
また、上記上方照明グループ３Ｂは、下方照明グループ３Ａより少ない個数のＬＥＤ３を有している。なお、本実施形態では、下方照明グループ３Ａとして１０個の白色ＬＥＤ３が設置されていると共に上方照明グループ３Ｂとして２個の白色ＬＥＤ３が設置されている。
【００２０】
また、この照明器具１は、フレキシブルプリント基板４に接続され、ＬＥＤ３の発光を下方照明グループ３Ａと上方照明グループ３Ｂとに分けて別々に制御する制御部１０を備えている。この制御部１０は、例えばフレキシブルプリント基板４に実装されたＩＣやスイッチ回路等で構成され、照明器具１の外部に設けられた有線または無線のリモートスイッチ（図示略）等で操作可能になっている。
【００２１】
上記金属フレーム６は、支持体貫通孔２ａに挿通されて中間部分に金属支持体２を固定した金属製の円柱状部材７と、該円柱状部材７の上部に基端が固定され半径方向外方に放射状に延在した３つの金属製の長板状部材１１と、傘状部材５の形状に合わせて下方に向けて直径が段階的に大きく設定されていると共に中心が円柱状部材７の軸線上に配された４つの円環状部材１２と、これら円環状部材１２を互いに連結して上下に間隔を開けて支持する３つの棒状支持部材１３と、を備えている。
【００２２】
なお、上から２番目に配された円環状部材１２に３つの長板状部材１１の先端が固定されている。
上記傘状部材５は、図２に示すように、上部と下部とが開口した切頭円錐形状を有し、透明または半透明の樹脂板等で形成されている。この傘状部材５は、金属フレーム６に上部から被せた状態で金属フレーム６の外周側で支持されている。
なお、金属フレーム６の形状は、支持する傘状部材５の形状に対応して適宜設定される。また、金属支持体２およびフレキシブルプリント基板４を、透明または半透明の光源用ケース内に収納して設置しても構わない。この場合でも、金属支持体２には直接、金属フレーム６が接続される。
【００２３】
この照明器具１を天井Ｔに取り付ける場合、鎖Ｃの一端を円柱状部材７の上端に固定すると共に他端を天井Ｔに取り付けることで吊すことができる。また、電力配線や有線のリモートコントロール用等の電気配線（図示略）は、この鎖Ｃと共に天井Ｔから吊り下げられフレキシブルプリント基板４に接続される。なお、フレキシブルプリント基板４には、電気配線が接続可能な図示しない接続コネクタが設けられている。
【００２４】
このように本実施形態の照明器具１は、複数のＬＥＤ３が、金属支持体２の下面側に配されて下方に向けて光を照射する下方照明グループ３Ａと、金属支持体２の上面側に配されて上方に向けて光を照射する上方照明グループ３Ｂと、に分けられているので、傘状部材５を主に照らす上方照明グループ３Ｂと下方の空間（部屋内）を主に照らす下方照明グループ３Ａとで設置するＬＥＤ３の個数や種類等を予め適切に設定でき、上下それぞれに要求される照度を無駄なく設定可能である。
【００２５】
また、下方照明グループ３Ａと上方照明グループ３Ｂとの両方とも一枚のフレキシブルプリント基板４に実装されて金属支持体２上に設置されていると共に、金属支持体２に直接、金属フレーム６が接続されているので、金属支持体２および金属フレーム６による高効率な放熱体構造によって、フレキシブルプリント基板４を用いてＬＥＤ３を設置しても十分な放熱経路により高い放熱性が確保される。なお、フレキシブルプリント基板４に複数のＬＥＤ３を実装して金属支持体２の上下面に設置しているので、安価であると共に配線接続や金属支持体２の形状等における設計自由度が高く、多様なデザインの照明器具にも柔軟に対応可能である。
【００２６】
さらに、ＬＥＤ３の発光を下方照明グループ３Ａと上方照明グループ３Ｂとに分けて別々に制御する制御部１０を備えているので、必要に応じて下方照明グループ３Ａと上方照明グループ３Ｂとのいずれか一方または両方で選択的にＬＥＤ３を発光させる制御ができ、さらに無駄なく照明することが可能になる。すなわち、用途やシチュエーションに応じて、適宜上方と下方との点灯を制御部で選択できる。
【００２７】
例えば、ペンダントライトの本実施形態では、部屋全体を照明したい時は、制御部１０により下方照明グループ３Ａと上方照明グループ３Ｂとの両方でＬＥＤ３を点灯させ、全体を高い光量で照らし、就寝時等には、制御部１０により上方照明グループ３ＢのＬＥＤ３のみを低い光量で点灯させ、傘状部材５を主に照らして傘状部材５を介して間接光を用いて部屋内を薄暗い状態の中で照明することができる。
【００２８】
また、間接光を得るために傘状部材５を主に照明し、下方照明グループ３Ａよりも照明光量が小さく済む上方照明グループ３Ｂが、下方照明グループ３Ａより少ない個数のＬＥＤ３を有しているので、ＬＥＤ実装数が低減され、部材点数および部材コストをより低減することができる。
【００２９】
なお、本発明は上記実施形態に限定されるものではなく、本発明の趣旨を逸脱しない範囲において種々の変更を加えることができる。
【００３０】
例えば、上記実施形態では、天井から吊り下げるタイプのペンダントライトに本発明を適用したが、台座上に立設させた柱に傘状部材等を取り付けたスタンドライトに本発明を採用しても構わない。この場合、傘状部材の下方かつ台座周辺を主に照明したい時は、制御部により下方照明グループのＬＥＤを点灯させ、高い光量で下方を照らし、就寝時等には、制御部により上方照明グループのＬＥＤのみを低い光量で点灯させ、傘状部材を主に照らして傘状部材を介した間接光を用いて薄暗い状態の中で照明することができる。
【符号の説明】
【００３１】
１…照明器具、２…金属支持体、３…ＬＥＤ、３Ａ…下方照明グループ、３Ｂ…上方照明グループ、４…フレキシブルプリント基板、５…傘状部材、６…金属フレーム、１０…制御部
【図１】
2012069366.tif 000003
【図２】
2012069366.tif 000004
【図３】
2012069366.tif 000005
【図４】
2012069366.tif 000006
【図５】
2012069366.tif 000007